(57)【要約】  【課題】  使用しないときには折りたたんで薄型の形状とすることができ、また、使用時の薬剤の拡散に優れる薬剤拡散装置を提供する。  【解決手段】  本発明の薬剤拡散装置１は、薬剤の保持が可能な網状の薬剤保持部材１２と、薬剤保持部材１２を保持する枠状部材１３と、薬剤が透過し難い材質により構成されている本体部材１１とを有している。本体部材１１は開閉することができ、開いた状態では、枠状部材１３は本体部材１１の板状部材１１ａ，１１ｂとの間に隙間が形成されるように配置し、また、薬剤保持部材１２は外部に露出している。本体部材１１が閉じた状態では、枠状部材１３及び薬剤保持部材１２は板状部材１１ａ、１１ｂに挟まれている。【選択図】  図２
2005348627.tif 000002
【特許請求の範囲】
【請求項１】
薬剤の保持が可能な網状の薬剤保持部材と、前記薬剤保持部材を保持する枠状部材と、前記薬剤が透過し難い材質により構成されている本体部材とを有し、前記本体部材はヒンジ部を介して連結された一対の板状部材が設けられて、いずれかの板状部材を他方の板状部材に対して相対回転させることにより本体部材を開閉することができるものであり、前記枠状部材は前記ヒンジ部に接続されており、本体部材が閉じた状態では前記枠状部材及び薬剤保持部材は板状部材に挟まれており、本体部材が開いた状態では前記枠状部材は板状部材との間に隙間が形成されるように配置し、かつ、薬剤保持部材が外部に露出していることを特徴とする薬剤拡散装置。
【請求項２】
薬剤保持部材は、枠状部材の枠内で略平面状に保持されていることを特徴とする請求項１記載の薬剤拡散装置。
【請求項３】
薬剤保持部材は、枠状部材の枠外に配置されて枠状部材を覆うように配置されていることを特徴とする請求項１又は２記載の薬剤拡散装置。
【請求項４】
板状部材の少なくとも一方には凹部が設けられており、本体部材が閉じた状態では、前記凹部が閉鎖されて密閉された空間を形成するものであって、枠状部材及び薬剤保持部材が前記空間に収納されることを特徴とする請求項１〜３のいずれか記載の薬剤拡散装置。
【請求項５】
枠状部材は複数設けられ、板状部材と枠状部材との間、及び、隣接する枠状部材同士の間の角度がほぼ同一となるように、枠状部材の位置決めが可能な位置決め部材を有することを特徴とする請求項１〜４のいずれか記載の薬剤拡散装置。
【請求項６】
薬剤保持部材は多重構造であることを特徴とする請求項１〜５のいずれか記載の薬剤拡散装置。
【請求項７】
本体部材が閉じた状態を維持することができることを特徴とする請求項１〜６のいずれか記載の薬剤拡散装置。
【請求項８】
薬剤保持部材に保持される薬剤が、常温で揮散して防虫効果を発揮する薬剤であることを特徴とする請求項１〜７のいずれか記載の薬剤拡散装置。
【発明の詳細な説明】
【技術分野】
【０００１】
本発明は、薬剤拡散装置に関するものである。また、本発明の薬剤拡散装置は、防虫剤等の常温で揮散する薬剤を大気中に拡散させる用途に適するものである。
【背景技術】
【０００２】
揮散性の薬剤を加熱して蒸散させる虫除け器が知られている。当該虫除け器では、薬剤をヒータなどによって加熱し、薬剤を蒸散させて虫除けを行う。
【０００３】
一方、有効成分が常温で揮散して、防虫効果を発揮する薬剤もあり、かかる薬剤を採用する場合には、ヒータ等の熱を発生させるための部材は必ずしも必須ではない。
【０００４】
このような常温で揮散して、防虫効果を発揮する薬剤は、加熱させる場合よりも揮散させにくいので、狭い空間で使用する場合は別として、使用時にはできるだけ広い面積から揮散させることが望ましい。そのため、薬剤をしみこませた薬剤保持部材の揮散可能な面積を広くするなどして、薬剤の揮散性が高まるようにしている。
【０００５】
そして、薬剤を保持させた紙を折り畳み可能にした構造の薬剤拡散装置を用い、防虫を行う技術が開示されている。（特許文献１及び特許文献２）。
【特許文献１】特開平９−３０８４２１号公報
【特許文献２】特開平１１−３２２５０４号公報
【０００６】
このような折り畳み構造の薬剤拡散装置では、使用しない場合に、薄型の形状とすることができるので、持ち運びに便利である。
【発明の開示】
【発明が解決しようとする課題】
【０００７】
特許文献１や特許文献２に記載された従来技術の薬剤拡散装置では、広げることによって、折りたたまれた紙同士の間に隙間ができ、薬剤を拡散させることができる。しかし、紙の場合には、風が紙の面に沿って流れ易く、紙の面を通過するようには風が流れ難いので、薬剤の拡散量を増加させるには十分ではない場合があった。
【０００８】
一方、薬剤を保持させる部材として網を用いた場合には、外部からの風が網目を通過することができ薬剤を拡散させやすい。しかしながら、網などの場合には一般的に腰がなく定形性がなく、折り畳み構造の薬剤拡散装置に適用することが必ずしも容易とは言えない。
【０００９】
そこで本発明は、使用しないときには折り畳んで薄型の形状とすることができ、また、使用時の薬剤の拡散に優れる薬剤拡散装置を提供することを課題とするものである。
【課題を解決するための手段】
【００１０】
そして、上記した目的を達成するための請求項１に記載の発明は、薬剤の保持が可能な網状の薬剤保持部材と、前記薬剤保持部材を保持する枠状部材と、前記薬剤が透過し難い材質により構成されている本体部材とを有し、前記本体部材はヒンジ部を介して連結された一対の板状部材が設けられて、いずれかの板状部材を他方の板状部材に対して相対回転させることにより本体部材を開閉することができるものであり、前記枠状部材は前記ヒンジ部に接続されており、本体部材が閉じた状態では前記枠状部材及び薬剤保持部材は板状部材に挟まれており、本体部材が開いた状態では前記枠状部材は板状部材との間に隙間が形成されるように配置し、かつ、薬剤保持部材が外部に露出していることを特徴とする薬剤拡散装置である。
【００１１】
請求項１に記載の発明によれば、ヒンジ部を介して連結された一対の板状部材が設けられて開閉可能である本体部材を有し、ヒンジ部に接続された枠状部材によって網状の薬剤保持部材を保持するものであり、本体部材が開いた状態では前記枠状部材は板状部材との間に隙間が形成されるように配置しているので、閉じたときには薄型の状態とすることができ、開いたときには立体的な状態として、薬剤の拡散を促進することができる。
また、薬剤保持部材は網状であるので、薬剤保持部材の網目を風が通過することができ、薬剤の揮散効率がよい。さらに、本体部材は薬剤が透過し難い材質により構成されているので、本体部材を閉じると薬剤の拡散を停止させることができる。
【００１２】
請求項２に記載の発明は、薬剤保持部材は、枠状部材の枠内で略平面状に保持されていることを特徴とする請求項１記載の薬剤拡散装置である。
【００１３】
請求項２に記載の発明によれば、枠状部材の枠内で略平面状に保持されているので、使用時に薬剤保持部材の薬剤の拡散を効率よく行うことができる。
【００１４】
請求項３に記載の発明は、薬剤保持部材は、枠状部材の枠外に配置されて枠状部材を覆うように配置されていることを特徴とする請求項１又は２記載の薬剤拡散装置である。
【００１５】
請求項３に記載の発明によれば、薬剤保持部材は、枠状部材の枠外で枠状部材を覆うように配置されているので、本体部材を開いた状態では、広い範囲で薬剤保持部材を外部に露出させることができる。
【００１６】
請求項４に記載の発明は、板状部材の少なくとも一方には凹部が設けられており、本体部材が閉じた状態では、前記凹部が閉鎖されて密閉された空間を形成するものであって、枠状部材及び薬剤保持部材が前記空間に収納されることを特徴とする請求項１〜３のいずれか記載の薬剤拡散装置である。
【００１７】
請求項４に記載の発明によれば、本体部材を閉じることにより、板状部材の凹部が閉鎖されて密閉された空間を形成し、この空間に枠状部材及び薬剤保持部材が収納されるので、薬剤拡散装置を使用しない場合には本体部材を閉じることによって薬剤保持部材の薬剤の拡散を抑制することができる。なお、この空間の密閉は完全でなくても良く、実質的に薬剤の拡散を防止することができればよい。
【００１８】
請求項５に記載の発明は、枠状部材は複数設けられ、板状部材と枠状部材との間、及び、隣接する枠状部材同士の間の角度がほぼ同一となるように、枠状部材の位置決めが可能な位置決め部材を有することを特徴とする請求項１〜４のいずれか記載の薬剤拡散装置である。
【００１９】
請求項５に記載の発明によれば、板状部材と枠状部材との間、及び、隣接する枠状部材同士の間の角度がほぼ同一となるように、枠状部材の位置決めが可能な位置決め部材が設けられているので、枠状部材に保持された薬剤保持部材から均等に薬剤の拡散をさせやすい。
【００２０】
請求項６に記載の発明は、薬剤保持部材は多重構造であることを特徴とする請求項１〜５のいずれか記載の薬剤拡散装置である。
【００２１】
請求項６に記載の発明によれば、薬剤保持部材は多重構造であるので、より多くの薬剤を揮散させることが可能となる。
【００２２】
請求項７に記載の発明は、本体部材が閉じた状態を維持することができることを特徴とする請求項１〜６のいずれか記載の薬剤拡散装置である。
【００２３】
請求項７に記載の発明によれば、本体部材が閉じた状態を維持することができるので、薬剤拡散装置が使用されない場合に、薬剤保持部材からの無駄な薬剤の拡散を防止することができる。
【００２４】
薬剤保持部材に保持される薬剤は、例えば、常温で揮散して防虫効果を発揮する薬剤が用いられる（請求項８）。
【発明の効果】
【００２５】
本発明の薬剤拡散装置によれば、使用時における薬剤の拡散を優れたものにすることができ、必要なときにだけ薬剤を拡散させることができる。
【発明を実施するための最良の形態】
【００２６】
以下さらに本発明の具体的実施例について説明する。
図１は、本発明の第１の実施形態の薬剤拡散装置の使用しない状態を示す斜視図である。図２は、本発明の第１の実施形態の薬剤拡散装置の使用状態を示す斜視図である。図３は、図１に示される薬剤拡散装置のＡ−Ａ断面図である。図４は、本発明の第２の実施形態における薬剤拡散装置の使用状態を示すものであって、薬剤保持部材の一部を破断した斜視図である。図５は、本発明の第２の実施形態における薬剤拡散装置の使用しない状態を示す断面図である。図６は、本発明の第３の実施形態における薬剤拡散装置の使用状態を示すものであって、薬剤保持部材の一部を破断した斜視図である。図７は、本発明の第４の実施形態における薬剤拡散装置の使用状態を示したヒンジ部付近を拡大した断面図である。図８は、本発明の第５の実施形態における薬剤拡散装置の使用しない状態を示す断面図である。
【００２７】
本発明の第１の実施形態の薬剤拡散装置１は、図１，図２に示されているように、本体部材１１、薬剤保持部材１２、枠状部材１３及び位置決め部材１５が設けられている。
【００２８】
本体部材１１は、一対の板状部材１１ａ、１１ｂと係止部材１６により構成されている。
一対の板状部材１１ａ、１１ｂは、長辺部５０と短辺部５１とを有する長方形状の板状の部材であって、板状部材１１ａと板状部材１１ｂとはほぼ同じ形状である。また、板状部材１１ａ及び板状部材１１ｂは、長辺部５０側に設けられているヒンジ部２０により、回転可能に接続されている。
【００２９】
なお、ヒンジ部２０は、他の部分よりも曲げやすい部分であればどのようなものでも良い。例えば、他の部分より柔軟な材質を用いたものや、他の部分より厚みが薄くするように構成したものを用いてもよい。また、ヒンジ部２０として回転軸を用い、回転軸であるヒンジ部２０を介して連結して板状部材１１ａと板状部材１１ｂとを連結するようにしても良い。
【００３０】
また、図２に示されるように、板状部材１１ａ、１１ｂは、板面部２４と側面部２３とが設けられている。側面部２３は、板面部２４から板面部２４の面に対してほぼ垂直方向に突出して形成される面であり、板面部２４の縁を一周するように設けられており、２辺の長辺部５０と２辺の短辺部５１の４辺に配置している。
【００３１】
そして、板状部材１１ａ、１１ｂには、板面部２４と側面部２３とによって凹部２１が形成される。図３に示されるように、板状部材１１ａ、１１ｂの凹部２１の設けられる位置は、本体部材１１が閉じた状態を基準として、他方の板状部材１１ｂ、１１ａ側の面に設けられている。また、本体部材１１が閉じた状態では、板状部材１１ａの凹部２１と、板状部材１１ｂの凹部２１とによって１つの空間２２が形成される。
【００３２】
また、この空間２２は、板状部材１１ａ、１１ｂの板面部２４及び側面部２３によって囲まれる領域である。そして、この空間２２はほぼ密閉されており、この空間２２に薬剤保持部材１２及び枠状部材１３が収納されている。なお、空間２２の気密性の程度は高い方が望ましいが、薬剤の拡散を防止することができる程度であればよく、完全に密閉されていなくても良い。
【００３３】
そして、本体部材１１は以下のように開閉することができる。
図１に示されるように、板状部材１１ａの短辺部５１と板状部材１１ｂの短辺部５１とのなす角度、すなわち、板状部材１１ａの板面部２４と板状部材１１ｂの板面部２４とのなす角度を約０°となるように重ね合わせて本体部材１１を閉じた状態にすることができる。
また、図２に示されるように、板状部材１１ａの短辺部５１と板状部材１１ｂの短辺部５１とのなす角度、すなわち、板状部材１１ａの板面部２４と板状部材１１ｂの板面部２４とのなす角度を約１８０°として本体部材１１を開いた状態にすることができる。
なお図２には、板状部材１１ａの板面部２４と板状部材１１ｂの板面部２４とのなす角度が約１８０°の例を図示するが、この角度は、通常９０〜２７０°の範囲で適宜変更することができる。
【００３４】
また、図１、図２に示されるように、本体部材１１を閉じた状態から開いた状態にすると、薄型の平面状から枠状部材１３が張り立てられた立体状となる。そして、本体部材１１を閉じた状態では体積を小さくすることができるので持ち運びなどに便利である。また、本体部材１１を開いた状態では嵩高くなるので、使用の際に薬剤の拡散をさせやすい。
【００３５】
板状部材１１ａ、１１ｂの材質は、ガスバリア性に優れる材料などを用いることができる。例えば、ポリアミド、ポリエチレンテレフタレート、ポリスチレン、アクリロニトリル−ブタジエン−スチレン共重合体等の樹脂材料、アルミニウム、チタン、鉄等の金属材料、ブリキやトタンなどの金属材料にめっきをした材料、厚紙や、木材等の材料を用いることができる。また、異なる材質の層を有する積層体を用いることができ、この層の一部にポリアミド、ポリエチレンテレフタレート、アルミなどのガスバリア性に優れる層をコーティングなどで設けることもできる。
【００３６】
本体部材１１の板状部材１１ａ、１１ｂの大きさは、薬剤保持部材１２の大きさや使用用途などによって、適当なものを用いることができる。通常の板状部材１１ａ、１１ｂの大きさは以下の通りである。
板面部２４の面積は通常５０〜１５００ｃｍ2であり、枠状部材１３の大きさよりもやや大きい。
側面部２３の高さは、通常０．０１ｃｍ〜５ｃｍであり、また、本体部材１１が閉じた状態での厚みは、板状部材１１ａと板状部材１１ｂとが重なるので、通常０．０２ｃｍ〜１０ｃｍ程度となる。
板面部２４や側面部２３の厚みは、通常０．１ｍｍ〜１．０ｍｍであり、好ましくは０．５ｍｍ程度である。
【００３７】
また、係止部材１６は、板状部材１１ａと板状部材１１ｂとの連結をすることにより本体部材１１が閉じた状態を維持することができるものであって、必要に応じてこの連結を解除することができるものである。具体的には、ボタン、面ファスナー、フックなどを用いることができる。
【００３８】
枠状部材１３は、剛性を有して薬剤保持部材１２の保持が可能な部材であり、本実施形態では３枚設けられている。枠状部材１３の形状は、ヒンジ部２０側以外の３辺に枠が設けられた略「コ」字状である。また、枠状部材１３の枠内には後述するように薬剤保持部材１２が保持される。
【００３９】
また、枠状部材１３は、ヒンジ部２０に回転可能に連結されている。なお、枠状部材１３の形状は、ヒンジ部２０側の辺にも枠が設けられて、４辺に枠が設けられた形状であっても良い。
【００４０】
３枚の枠状部材１３は、一対の板状部材１１ａ、１１ｂの間に枠状部材１３が挟まれるように位置している。そして、本体部材１１が開いた状態では、板状部材１１ａ、１１ｂと枠状部材１３、及び、枠状部材１３同士の間に隙間が形成される。そして、板状部材１１ａ、１１ｂと枠状部材１３、及び、枠状部材１３同士の間のなす角度（隙間角）は、図２に示される実施形態では、ほぼ同じであって約４５°であり、一対の板状部材１１ａ、１１ｂの間に枠状部材１３が等間隔に配置される。
【００４１】
枠状部材１３の材質は、例えば、ポリアミド、ポリエチレンテレフタレート、ポリスチレン、アクリロニトリル−ブタジエン−スチレン共重合体等の樹脂材料、アルミニウム、チタン、鉄等の金属材料、ブリキやトタンなどの金属材料にめっきをした材料、紙や、木材等の材料を用いることができる。また、異なる材質の層を有する積層体を用いることができ、この層の一部にポリアミド、ポリエチレンテレフタレート、アルミなどのガスバリア性に優れる層をコーティングなどで設けることもできる。また、板状部材１１ａ、１１ｂに用いられる材料と同じものを用いることができる。
【００４２】
この枠状部材１３の配置は、位置決め部材１５によって維持されている。本実施形態の位置決め部材１５は可とう性を有するひも状の部材である。そして、位置決め部材１５は、板状部材１１ａ、１１ｂや枠状部材１３のヒンジ部２０から離れた位置に固定されている。そして、本体部材１１を開いた状態にすると、ひも状の部材である位置決め部材１５が引っ張られて、枠状部材１３が等間隔に配置された状態を維持する。
【００４３】
薬剤拡散装置１の位置決め部材１５は、ひも状の部材を用いたものであったが、枠状部材１３同士の間に所定の間隔に維持することができれば、ばねなどの他の部材を用いることもできる。
【００４４】
薬剤保持部材１２は可撓性を有する網状の部材であり、薬剤が保持されている。そして、本実施形態の薬剤拡散装置１では薬剤保持部材１２は３枚有しており、３枚の枠状部材１３のそれぞれに１枚ずつ固定されている。また、薬剤保持部材１２は枠状部材１３に平面状に固定されている。
【００４５】
薬剤保持部材１２の材質は、合成樹脂繊維や天然繊維などを糸状にし、これを用いて編んだものや、合成樹脂を網状となるように成形したものが用いられている。
薬剤保持部材１２に用いられる繊維の種類としては、ポリエステル、ポリアミドなどの合成繊維、アセテートなどの半合成繊維、レーヨン、キュプラなどの再生繊維などを用いることができる。また、これらの繊維を用いて網状とするときの目付量は平方メートル当たり通常１〜１００００ｇである。
【００４６】
薬剤保持部材１２には薬剤が保持されている。この薬剤は、常温で揮散性を有するものである。また、この薬剤は、例えば防虫効果を有するものが挙げられる。なお、「防虫効果」とは「殺虫効果」と「害虫の忌避効果」の両方を包含する概念である。
本実施形態で採用する薬剤は、常温揮散性があり、具体的には、２５℃での蒸気圧が１．３３×１０-4Ｐａ（１×１０-6ｍｍＨｇ）以上である。
【００４７】
防虫効果を有して常温で揮散する有効成分の具体例としては以下のものがある。
１−エチニル−２−メチル−２−ペンテニル  ３−（２−クロロ−２−フルオロビニル）−２，２−ジメチルシクロプロパン−１−カルボキシラート、２，３，５，６−テトラフルオロ−４−メチルベンジル  ３−（２−メチル−１−プロペニル）−２，２−ジメチルシクロプロパンカルボキシラート、２，３，５，６−テトラフルオロ−４−メチルベンジル  ３−（２−クロロ−２−フルオロビニル）−２，２−ジメチルシクロプロパンカルボキシラート、２，３，５，６−テトラフルオロ−４−メチルベンジル  ３−（１−プロペニル）−２，２−ジメチルシクロプロパンカルボキシラート、１−エチニル−２−メチル−２−ペンテニル  （１Ｒ）−３−（２−メチル−１−プロペニル）−２，２−ジメチルシクロプロパンカルボキシラート（一般名：エンペントリン）、２，３，５，６−テトラフルオロベンジル  （１Ｒ）−トランス−３−（２，２−ジクロロビニル）−２，２−ジメチルシクロプロパンカルボキシラート（一般名：トランスフルスリン）、２，３，５，６−テトラフルオロ−４−メトキシメチルベンジル  （１Ｒ）−トランス−３−（１−プロペニル（Ｅ／Ｚ＝約８／１））−２，２−ジメチルシクロプロパンカルボキシラート、２，３，５，６−テトラフルオロ−４−メトキシメチルベンジル  （１Ｒ）−トランス−３−（２−メチル−１−プロペニル）−２，２−ジメチルシクロプロパンカルボキシラート、２，３，５，６−テトラフルオロ−４−メチルベンジル  （１Ｒ）−トランス−３−（１−プロペニル（Ｅ／Ｚ＝約８／１））−２，２−ジメチルシクロプロパンカルボキシラート  １−エチニル−２−メチル−２−ペンテニル  ３−（２−メチル−１−プロペニル）−２，２−ジメチルシクロプロパンカルボキシラート  １−エチニル−２−メチル−２−ペンテニル  ３−（２，２−ジクロロビニル）−２，２−ジメチルシクロプロパンカルボキシラート等のピレスロイド化合物、２，２−ジクロロビニル  ジメチル  ホスフェート、Ｎ，Ｎ−ジエチル−ｍ−トルアミド、カラン−３，４−ジオール。
【００４８】
常温で揮散性を有する薬剤をそのまま薬剤保持部材１２に保持させてもよいが、当該薬剤をエタノール、イソプロピルアルコールなどのアルコール類、ポリエチレングリコール、１，３−ブチレングリコール、エチレングリコールモノブチルエーテル、プロピレングリコールモノメチルエーテル、ジプロピレングリコールモノメチルエーテルなどの多価アルコール類、イソペンタン、軽質イソパラフィンや軽質流動イソパラフィン（出光石油化学：ＩＰソルベント１６２０、２０２８、２８３５  エクソンモービル：アイソパーＥ、Ｇ、Ｈ、Ｌ、Ｍ）、ＪＩＳ１号灯油や２号灯油、アルキルベンゼンなどの炭化水素溶剤、酢酸エチル、ミリスチン酸イソプロピル、アジピン酸ジイソプロピル、クエン酸トリブチルアセテートなどのエステル類、のうちから選択したいずれか、又は、それらの混合物で適宜希釈して得られる溶液を用いて薬剤保持部材１２に保持させることもできる。
【００４９】
薬剤保持部材１２に薬剤を保持させる方法は、薬剤を保持した状態の糸などを用いて網状としてもよく、また、網状としたものに薬剤を浸すなどして薬剤をしみこませてもよい。また、このときの保持される薬剤の量は平方メートル当たり通常２０ｍｇ〜５００ｇである。すなわち薬剤の量が過度に多いと薬剤が垂れるといった不具合があり、薬剤の量が少ないと有効期間が短くなってしまうので、薬剤保持部材１２に保持させる薬剤量は、平方メートル当たり２０ｍｇ〜５００ｇが適当である。
【００５０】
薬剤保持部材１２の総面積は、使用される環境条件や薬剤の種類などによって適当な大きさのものが用いられるが、通常５０〜２０００ｃｍ2である。
また、本実施形態の薬剤拡散装置１では、それぞれの枠状部材１３に各１枚の薬剤保持部材１２は固定されているが、一枚の枠状部材１３に２枚以上の網を重ねて多重構造としてもよい。
【００５１】
次に、薬剤拡散装置１の使用方法について説明する。
薬剤拡散装置１を製造した後、使用するまでの間は、図１、図３に示すように本体部材１１が閉じた状態としておく。本体部材１１が閉じた状態では、板状部材１１ａ、１１ｂの板面部２４同士の間に、枠状部材１３や薬剤保持部材１２が配置されており、また、薬剤保持部材１２は、板状部材１１ａ、１１ｂの凹部２１、２１によって形成された空間２２に収納されており、薬剤保持部材１２の薬剤の揮散を抑制することができる。
【００５２】
そして、薬剤拡散装置１を防虫を行う場所に移動させ、係止部材１６による係止を解き、図２に示されるように、本体部材１１が開いた状態とする。
本体部材１１が開いた状態となると、薬剤保持部材１２が外部に露出し、薬剤の揮散が可能となる。また、薬剤保持部材１２は枠状部材１３に取り付けられているので、網状の薬剤保持部材１２を確実に広げた状態にすることができる。
【００５３】
薬剤保持部材１２は網状であるので、扇風機やクーラ等の送風、あるいは自然の風が薬剤拡散装置１にあたると、当該風は網の孔を通過する。そのため、薬剤保持部材１２に沿った方向だけでなく、いずれの方向からの風を通過させることができる。そして、薬剤保持部材１２に風が当たることによって、風はほとんど抵抗を受けずに通過して、効率よく薬剤の拡散を行うことができる。したがって、薬剤保持部材１２に保持された薬剤を拡散させやすい。
【００５４】
また、薬剤保持部材１２は枠状部材１３によってほぼ平面状に固定されており、また、位置決め部材１５によって、一対の板状部材１１ａ、１１ｂの間に枠状部材１３が等間隔に配置されているので、薬剤保持部材１２同士の位置が離れており、効率的に多くの薬剤を拡散させることができる。
【００５５】
使用を中断する場合には、本体部材１１を閉じ、係止部材１６によって係止して、再び、図１に示される状態とする。その結果、薬剤保持部材１２に保持された薬剤の揮散を抑制することができる。この状態では、上記のように、薬剤保持部材１２からの薬剤の揮散を抑制することができるので、本実施形態の薬剤拡散装置１は防虫が必要なときだけ使用することができる。
また、薬剤を保持した網状の薬剤保持部材１２は、防虫が必要な場合においては、本体部材１１などによって覆われているので、薬剤保持部材１２がべたついている場合でも持ち運びしやすく、販売しやすい。
【００５６】
次に、第２の実施形態の薬剤拡散装置２について説明する。薬剤拡散装置２は、図４に示されているように、本体部材１１、薬剤保持部材６２及び枠状部材１３が設けられている。
なお、薬剤拡散装置２の薬剤保持部材６２以外の構造については、上記した第１の実施形態の薬剤拡散装置１と同様であり、薬剤拡散装置２の説明においては、第１の実施形態の薬剤拡散装置１の説明で用いた符号を用いて説明を省略する。
【００５７】
前述した第１の薬剤拡散装置１では、薬剤保持部材１２がそれぞれの枠状部材１３に平面状に固定されているものであったが、第２の実施形態の薬剤拡散装置２の薬剤保持部材６２は、図４に示されるように、枠状部材１３の外側に、枠状部材１３を覆うように設けられている。そして、薬剤保持部材６２の形状は、薬剤拡散装置２の本体部材１１が開いている状態では、半円柱の表面の様な形状となる。本実施形態においても、枠状部材１３と薬剤保持部材６２とが固定されているが、この固定位置は、本体部材１１を開いた状態で、一対の板状部材１１ａ、１１ｂの間に枠状部材１３が等間隔に配置される位置である。
【００５８】
また、薬剤拡散装置２の本体部材１１を閉じた状態の外観は、図１に示される第１の実施形態における薬剤拡散装置１と同様である。そして、薬剤拡散装置２の本体部材１１を閉じた状態の内部の構造は、図５に示されている。
薬剤拡散装置２の本体部材１１を閉じると、本体部材１１内部の空間２２に、枠状部材１３及び薬剤保持部材６２が配置されており、また、薬剤保持部材６２は折りたたまれ、又は湾曲した状態で、枠状部材１３の周りに位置している。
【００５９】
薬剤拡散装置２の使用方法は、第１の実施形態（薬剤拡散装置１）の使用方法と同じであり、防虫が不要であるときには、本体部材１１を閉じた状態で薬剤保持部材６２を露出しないようにし、防虫が必要なときには本体部材１１を開いた状態として薬剤保持部材６２を露出し、薬剤を拡散させる。
【００６０】
またさらに他の変形例として、図６に示される薬剤拡散装置３を用いることもできる。そして、薬剤拡散装置３に設けられる薬剤保持部材７２は、薬剤拡散装置１に設けられる薬剤保持部材１２と、薬剤拡散装置２に設けられる薬剤保持部材６２との両方を備えたものである。薬剤拡散装置３では、さらに、より多くの薬剤を保持することができ、薬剤の拡散量を多くすることができる。すなわち、使用する薬剤保持部材７２の面積を多くすることができるのでより多くの薬剤を保持することがができる。
【００６１】
また、他の変形例として、図７に示される薬剤拡散装置４のように、ヒンジ部２０付近に薬剤供給部６５を設け、この薬剤供給部６５を薬剤保持部材１２に接触させる構造も考えられる。そして、薬剤保持部材１２、６２、７２に薬剤を供給することができる。
【００６２】
上記した薬剤拡散装置１、２、３、４では、本体部材１１を閉じることによって密閉することができ、薬剤保持部材１２、６２を収納する空間２２は、板状部材１１ａ、１１ｂの板面部２４、側面部２３が用いられるものであったが、本体部材１１を閉じることによって空間２２を形成することができれば、他の構造を用いることができる。
例えば、一方に凹部２１を設け、他方に凹部２１設けない一対の板状部材１１ａ、１１ｂを用いて、空間２２を形成することができる。このように、一対の板状部材１１ａ、１１ｂの形状が異なっていても良い。
また、図８に示される薬剤拡散部材５のように、本体部材１１を閉じた状態で薬剤拡散装置５の枠状部材１３を厚み方向に密着させるようにし、本体部材１１の板面部２４と枠状部材１３によって、薬剤保持部材１２を収納する空間２２を形成することができる。
【００６３】
上記した薬剤拡散装置１、２、３、４、５では枠状部材１３は３枚設けられていたが、３枚未満（１枚や２枚）でも良く、また、４枚以上でも良い。枠状部材１３が多すぎると、枠状部材１３同士の隙間が狭くなるので、枠状部材１３は、１０枚以下が望ましい。
【００６４】
また、薬剤拡散装置１、２、３、４、５には本体部材１１が閉じた状態を維持することができる係止部材１６が設けられているが、本体部材１１が閉じる方向に付勢するばねなどを設けて、本体部材１１が閉じた状態を維持するようにしてもよい。なお、この場合、本体部材１１を開いた状態で維持する手段（フックなど）が通常設けられる。
【００６５】
また、薬剤の残量がわかるようにするため、インジケータを設けてもよい。
このインジケータは、使用時に露出し、使用しないときに露出しない状態となる位置に設置されるものであり、一定時間露出すると表面の色などが変化するものである。設置する位置としては、枠状部材１３や、板状部材１１ａ、１１ｂの内側などがある。
【００６６】
そして、一定時間使用することにより、インジケータの色が変化することによって、揮散可能な残りの薬剤の量を知ることができる。具体的には、昇華性のインキが塗布されているものや昇華性結晶を設置したものが用いられ、色の変化や結晶の大きさの変化によって薬剤の残量を確認することができる。
【００６７】
また、薬剤に、酸化防止剤、光安定剤等を添加したものを用いても良い。さらに枠状部材１３に薬剤貯留部を設け、薬剤貯留部から薬剤保持部材１２、６２、７２に薬剤を供給する構成も可能である。
【００６８】
上記した実施形態では、本発明の薬剤拡散装置を防虫剤を拡散させる用途に使用する例を説明したが、香料を拡散させる用途に本発明の薬剤拡散装置を使用することもできる。
【図面の簡単な説明】
【００６９】
【図１】本発明の第１の実施形態における薬剤拡散装置の使用しない状態を示す斜視図である。
【図２】本発明の第１の実施形態における薬剤拡散装置の使用状態を示す斜視図である。
【図３】図１に示される薬剤拡散装置のＡ−Ａ断面図である。
【図４】本発明の第２の実施形態における薬剤拡散装置の使用状態を示すものであって、薬剤保持部材の一部を破断した斜視図である。
【図５】本発明の第２の実施形態における薬剤拡散装置の使用しない状態を示す断面図である。
【図６】本発明の第３の実施形態における薬剤拡散装置の使用状態を示すものであって、薬剤保持部材の一部を破断した斜視図である。
【図７】本発明の第４の実施形態における薬剤拡散装置の使用状態を示したヒンジ部付近を拡大した断面図である。
【図８】本発明の第５の実施形態における薬剤拡散装置の使用しない状態を示す断面図である。
【符号の説明】
【００７０】
１、２、３、４、５    薬剤拡散装置
１１  本体部材
１１ａ、１１ｂ  板状部材
１２、６２、７２  薬剤保持部材
１３  枠状部材
１５  位置決め部材
１６  係止部材
２０  ヒンジ部
２１  凹部
６５  薬剤供給部
【図１】
2005348627.tif 000003
【図２】
2005348627.tif 000004
【図３】
2005348627.tif 000005
【図４】
2005348627.tif 000006
【図５】
2005348627.tif 000007
【図６】
2005348627.tif 000008
【図７】
2005348627.tif 000009
【図８】
2005348627.tif 000010